(57)【要約】      （修正有）【課題】紙束や巻物等、幅広い範疇に属する小物文具を単体又は組み合わせて収納及び保護することが可能で、必要な紙又は物を素早く取り出すことができるカバー付携帯用ホルダーを提供する。【解決手段】帯状のカバー２と、帯状のカバー２の両端部を着離自在に着接させる接合部材３１から成り、両端部が着接され環状となった帯状のカバー２の環内が携帯物収納空間となっている。カバー２は、長手方向中央近傍に端辺と平行に１又は複数の折り目が形成され、平面又は曲面の集合体となっている。接合部材３１は棒体又はリングであって、カバー２の前記両端部及び被収納物を貫通し吊持する。平板形状の被収納物としては、メモ用紙４の他、付箋そのものをセットすることもできるし、ロールテープ５やロール型の付箋も含まれ、これら複数の文具を同時に収納・携行することも可能である。【選択図】図８
0003217115.tif 000002
【実用新案登録請求の範囲】
【請求項１】
カバー付の携帯用ホルダーであって、
帯状のカバーと、
前記帯状のカバーの両端部を着離自在に着接させる接合部材と、
から成り、
前記両端部が着接され環状となった前記帯状のカバーの環内が携帯物収納空間となっていることを特徴とする携帯用ホルダー。
【請求項２】
前記接合部材は、棒体であって、前記棒体が前記帯状のカバーの前記両端部及び被収納物を軸通し吊持することを特徴とする請求項１記載の携帯用ホルダー。
【請求項３】
前記接合部材は、一定箇所が接離可能となっているリングであって、前記リングが前記帯状のカバーの前記両端部及び被収納物を貫通し吊持することを特徴とする請求項１記載の携帯用ホルダー。
【請求項４】
前記帯状のカバーは、長手方向中央近傍に端辺と平行に１の折り目が形成され、前記帯状のカバーは前記１の折り目を境に、前面・後面により構成されていることを特徴とする請求項１乃至３のいずれかに記載の携帯用ホルダー。
【請求項５】
前記帯状のカバーは、長手方向中央近傍に端辺と平行に互いに一定の間隔を保持した２の折り目が形成され、前記帯状のカバーは前記２の折り目を境に、前面・底面・後面により構成されていることを特徴とする請求項１乃至３のいずれかに記載の携帯用ホルダー。
【考案の詳細な説明】
【技術分野】
【０００１】
本考案は、メモ用紙・付箋等の紙束やロールテープ・マスキングテープを収容して持ち歩くためのカバー付携帯用ホルダーに関する。
【背景技術】
【０００２】
従来、メモ用紙・付箋等の紙束やロールテープ・マスキングテープ等の巻物を持ち運びする際には、そのまま持ち歩くか購入時のケース等に入れて運ぶことが多かった。
【考案の概要】
【考案が解決しようとする課題】
【０００３】
市販のメモ用紙や付箋は、色別に冊子にしたものを背糊でまとめたものや、単語帳のように、紙をまとめただけのものがほとんどであって、所望の紙類を選択して使用する場合は不便である。例えば、紙や付箋を色等でまとめて端部を接着した冊子を、必要な色の紙を選んで使っていく過程で、特定の色の紙のみが減り、減った部分の背糊部分が露出し、冊子全体の形状が崩れて残った紙も剥がれやすくなるといった問題がある。この場合、冊子は一個の商品として販売されているため、需要者は不必要な色を含んだ他の冊子を再度購入せざるを得ないといった不経済を被る。また、紙をまとめただけのものはバラバラになりやすい。さらに、カバーなしの携行は、紙が汚れる。
【０００４】
ロールテープ・マスキングテープ等の巻物は、本体にカッターのみが付いているものが、または、テープのみで販売されている。この場合、無保護の状態で持ち歩くと、カッターが近くのものにひっかかり破損したり、テープの露出部分が汚れたりすることがある。また、古くなると側面の糊部分に異物が付着し黒ずんできたりすることもある。一方、購入時のケース等に入れて持ち歩くと、とり出しに時間がかかり、面倒である。
【０００５】
上述の問題に鑑み、本考案においては、紙束や巻物等、幅広い範疇に属する小物文具を単体又は組み合わせて収納及び保護することが可能で、必要な紙又は物を素早く取り出すことができるカバー付携帯用ホルダーを提供することを課題とする。
【課題を解決するための手段】
【０００６】
上記課題を解決するために、請求項１のカバー付携帯用ホルダーは、帯状のカバーと、前記帯状のカバーの両端部を着離自在に着接させる接合部材から成り、前記両端部が着接され環状となった前記帯状のカバーの環内が携帯物収納空間となっていることを特徴とする。
【０００７】
請求項２のカバー付携帯用ホルダーは、請求項１のカバー付携帯用ホルダーにおいて、前記接合部材は棒体であって、前記棒体が前記帯状のカバーの前記両端部及び被収納物を軸通し、吊持することを特徴とする。
【０００８】
請求項３のカバー付携帯用ホルダーは、請求項１のカバー付携帯用ホルダーにおいて、前記接合部材は一定箇所が接離可能となっているリングであって、前記リングが前記帯状のカバーの前記両端部及び被収納物を貫通し吊持することを特徴とする。
【０００９】
請求項４のカバー付携帯用ホルダーは、請求項１乃至３のいずれかに記載の携帯用ホルダーあって、前記帯状のカバーは、長手方向中央近傍に端辺と平行に１の折り目が形成され、前記帯状のカバーは前記１の折り目を境に、前面・後面により構成されていることを特徴とする。
【００１０】
請求項５のカバー付携帯用ホルダーは、請求項１乃至３のいずれかに記載の携帯用ホルダーあって、前記帯状のカバーは、長手方向中央近傍に端辺と平行に互いに一定の間隔を保持した２の折り目が形成され、前記帯状のカバーは前記２の折り目を境に、前面・底面・後面により構成されていることを特徴とする。
【考案の効果】
【００１１】
本考案のカバー付携帯用ホルダーを使用することにより、単一のホルダーに紙束や巻物等、幅広い範疇に属する小物文房具を、単体又は複数を組み合わせて収納及び保護することが可能となる。これにより、携行先で、必要な紙や物を素早く取り出して使用することができるようになり、利便性が増す。
【００１２】
例えば、特定の色の付箋やメモ用紙を多く使う傾向にある使用者の場合は、本考案のカバー付携帯用ホルダーを使用することにより、使用者がよく使う色の用紙を選択的に購入し使用することが可能となるため、使用しない色がセットで販売されている付箋等を、まるごと購入する必要がなくなり、経済的である。
【図面の簡単な説明】
【００１３】
【図１】実施形態１のカバー付携帯用ホルダーの（Ａ）カバーの展開図、（Ｂ）全体斜視図である。
【図２】実施形態２のカバー付携帯用ホルダーの（Ａ）カバーの展開図、（Ｂ）全体斜視図である。
【図３】（Ａ）実施形態１、（Ｂ）実施形態２、のカバー付携帯用ホルダーの概念断面図である。
【図４】本カバー付携帯用ホルダーの接合部材の形状の例を示す。（Ａ）棒型部材、（Ｂ）リンク型部材、の各正面図である。
【図５】本カバー付携帯用ホルダーの使用例１を示す斜視図である。（Ａ）は持ち運び時、（Ｂ）は使用時の状態を示す。
【図６】本カバー付携帯用ホルダーの使用例１の概念断面図である。
【図７】本カバー付携帯用ホルダーの使用例２を示す斜視図である。（Ａ）は持ち運び時、（Ｂ）は使用時の状態を示す。
【図８】本カバー付携帯用ホルダーの使用例３を示す斜視図である。
【考案を実施するための形態】
【００１４】
本考案に係るカバー付携帯用ホルダーについて図を用いて説明する。
以下、実施形態１、２と、使用例１，２，３を示す。
【００１５】
（実施形態１）
実施形態１の携帯用ホルダーは、請求項４に記載のホルダーである。
図１（Ａ）及び（Ｂ）に示すように、本ホルダー１は、カバー２と接合部材３１によって構成され、カバー２の両端部近傍には通し穴２１、２２が設置されている。通し穴２１、２２に接合部材３１を貫通させ両端部を着接することにより、カバー２の内側に携帯物収納空間を創出する。本実施形態では、カバー２の長手方向中央部に、端辺と平行に１本の折り目２３が形成され、これにより、カバー２は、前面２５・後面２６に分かれる（図３（Ａ））。
【００１６】
（実施形態２）
実施形態２の携帯用ホルダーは、請求項５に記載のホルダーである。
ホルダー１の基本構成は実施形態１と変わりないが、本実施形態では、図２に示すように、カバー２の長手方向中央部に、端辺と平行に２本の折り目２３及び２４が互いに一定の間隔を保持しつつ形成され、前記２本の折り目により、カバー２は、前面２５・後面２６・底面２７に分かれる（図３（Ｂ））。
【００１７】
接合部材３１については、実施形態１，２ともに、図３（Ａ）、（Ｂ）に示すような棒体のものを使用している。前記棒体の接合部材３１は、図４（Ａ）に示すように、端部に頭を有する２本の棒が着脱可能に螺着する構成となっている（請求項２参照）。
【００１８】
上記接合部材としては、棒体のほかに、図４（Ｂ）に示すような、一定箇所が接離可能となっているリング状のものを使用することも可能である（請求項３参照）。
【００１９】
本携帯用ホルダーは、小物の文具であれば、基本的にほとんどのものを収納し携行することが可能であるが、ここでは、代表的な文具として、メモ用紙とロールテープ、及び両者を組み合せて収納する場合を以下に例示する。
【００２０】
（使用例１）
図５（Ａ）は、メモ用紙の束を、実施形態１の携帯用ホルダーに収納した状態を示す。また、図５（Ｂ）は、収納したメモ用紙を取り出す時の状態を示す。図６に示すように、メモ用紙４は、前面２５と後面２６とともに棒状の接合部材３１に軸通され、カバー２で保護されつつ吊持される。この構成により、使用者は、所望の紙のみを摘まみ出し、記入又は脱離させることが可能となる。
【００２１】
（使用例２）
図７（Ａ）は、ロールテープ５を、実施形態１の携帯用ホルダーに収納した状態を示す。また、図７（Ｂ）は、収納したロールテープ５を取り出す時の状態を示す。ロールテープのような環状の収納物の場合は、図４（Ｂ）に示すようなリング状の接続部材を使用して、ホルダー内でテープを直接吊持することも可能であるが、本使用例においては、図７に示すロールテープ支持バンド６のような支持部材を介して、安定的、かつ、可動的に軸着する方法を採用した。このように、ロールテープ５を携帯用ホルダー１に収納して携行することにより、使用者は、付属のカッターやテープ側面の糊部分に直接触れることなくテープを携行し、必要なときに、カバー２の脇からテープを引き出して、カットすることが可能となる。
（使用例３）
本携帯用ホルダーは、複数の文具を組み合わせて収納することも可能である。図８は、メモ用紙４とロールテープ５の両方を１つの携帯用ホルダー１に収納して使用する例を示す。このように、本携帯用ホルダー１は、使用する頻度が高い、形状が異なる文具を同時に携行し、その場で必要な物のみを即座に引き出して使用することを可能とする。
【００２２】
本携帯用ホルダー１は、上記使用例に挙げたほかにも様々な被収納物を収納することができる。例えば、平板形状の被収納物としては、メモ用紙４の他、付箋そのものをセットすることもできるし、ロールテープ５には、マスキングテープやロール型の付箋も含まれる。また、文具のほかにも、家の鍵などを一緒に収納・携行することも可能である。
【００２３】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に、請求項１記載の携帯用ホルダーにおいては、折り目なしの環状丸型のカバーを使用することもできるし、被収納物の形状に合わせて、折り目の数を３以上とすることも可能である。また、接合部材については、上記実施形態に挙げたものは例にすぎず、このほかにも、ボルト・ナット型、バインダー型等、様々な方式、形状のものが考えられる。
【符号の説明】
【００２４】
１      携帯用ホルダー
２      カバー
２１，２２  通し穴
２３，２４  折り目
２５    前面
２６    後面
２７    底面
３１    接合部材Ａ（棒型）
３２    接合部材Ｂ（リンク型）
４      メモ用紙
５      ロールテープ
６      ロールテープ支持バンド
【図１】
0003217115.tif 000003
【図２】
0003217115.tif 000004
【図３】
0003217115.tif 000005
【図４】
0003217115.tif 000006
【図５】
0003217115.tif 000007
【図６】
0003217115.tif 000008
【図７】
0003217115.tif 000009
【図８】
0003217115.tif 000010